(57)【要約】【課題】スキャナが原稿サイズ検知手段をもたない画像形成装置で、コピー動作時の自動用紙選択機能を実現させることを目的とする。【解決手段】スキャナが原稿サイズ検知手段をもたない画像形成装置において、選択可能なカセット段が複数存在し、ＡＤＦに紙がセットされると、自動を含んだ用紙選択を行い、用紙選択で自動が選択されると、原稿混載モードでの読取り、記録を行う。【選択図】図１
2007187735.tif 000002
【特許請求の範囲】
【請求項１】
複数の異なるサイズの用紙を取り扱い可能な画像形成装置において、
原稿サイズの検知を行う原稿サイズ検知手段を持たない自動原稿給紙手段と、
前記自動原稿給紙手段に原稿があることを検知する原稿検知手段と、
選択可能な給紙段の数を取得する選択可能給紙段数取得手段と、
給紙段を指定する給紙段指定手段と、
複写動作の開始を指示する複写動作開始手段と、
原稿混載モードで読取り可能な原稿混載読取り手段と、
原稿混載モードで記録可能な原稿混載記録手段と、
前記複写動作開始手段により複写動作の開始が指示された時に、前記原稿検知手段により原稿があることを検知し、かつ、前記選択可能給紙段数取得手段により取得した給紙段数が２以上の場合、前記給紙段指定手段は自動を含み、
前記給紙段指定手段により自動が選択された場合は、前記原稿混載読取り手段により原稿混載モードで原稿を読取り、前記原稿混載記録手段により原稿混載モードで記録紙へ記録出力を行うことを特徴とする画像形成装置。
【請求項２】
請求項１記載の画像形成装置において、
前記原稿混載読取り手段は、原稿混載モードで読取る際に、実際に読取ったライン数から原稿サイズを推定するとともに、前記推定した原稿サイズから主走査方向の画素数を確定することを特徴とする画像形成装置。
【請求項３】
請求項１記載の画像形成装置において、
前記原稿混載記録手段は、原稿混載モードで記録する際に、前記原稿混載読取り手段により確定された主走査方向画素数とライン数を用いて、最適な給紙段を選択して記録出力することを特徴とする画像形成装置。
【発明の詳細な説明】
【技術分野】
【０００１】
本発明は、複数の異なるサイズの用紙を取り扱い可能な画像形成装置におけるコピー動作時の用紙選択方法に関する。
【背景技術】
【０００２】
従来から、スキャナで検知された原稿サイズに対して、最適なカセットを選択して、記録出力する自動用紙選択機能（ＡＰＳ）が知られている（例えば、特許文献１参照）。また、操作部からユーザ操作により手動で給紙するカセットを指定することも可能になっている。
【特許文献１】特開昭６３−１２１８６８号公報
【発明の開示】
【発明が解決しようとする課題】
【０００３】
しかしながら、スキャナが原稿サイズ検知手段をもたない場合は、原稿サイズ、または、給紙するカセットを、操作部からユーザ操作により指定する必要があった。
【０００４】
上記課題を鑑み、本発明は、スキャナが原稿サイズ検知手段をもたない画像形成装置で、コピー動作時の自動用紙選択機能を実現させることを目的とする。
【課題を解決するための手段】
【０００５】
上記目的を達成すべく、複数の異なるサイズの用紙を取り扱い可能な画像形成装置において、原稿サイズの検知を行う原稿サイズ検知手段を持たない自動原稿給紙手段と、前記自動原稿給紙手段に原稿があることを検知する原稿検知手段と、選択可能な給紙段の数を取得する選択可能給紙段数取得手段と、給紙段を指定する給紙段指定手段と、複写動作の開始を指示する複写動作開始手段と、原稿混載モードで読取り可能な原稿混載読取り手段と、原稿混載モードで記録可能な原稿混載記録手段と、前記複写動作開始手段により複写動作の開始が指示された時に、前記原稿検知手段により原稿があることを検知し、かつ、前記選択可能給紙段数取得手段により取得した給紙段数が２以上の場合、前記給紙段指定手段は「自動」を含み、前記給紙段指定手段により「自動」が選択された場合は、前記原稿混載読取り手段により原稿混載モードで原稿を読取り、前記原稿混載記録手段により原稿混載モードで記録紙へ記録出力を行うことを特徴とする。
【０００６】
また、前記原稿混載読取り手段は、原稿混載モードで読取る際に、実際に読取ったライン数から原稿サイズを推定するとともに、前記推定した原稿サイズから主走査方向の画素数を確定することを特徴とする。
【０００７】
また、前記原稿混載記録手段は、原稿混載モードで記録する際に、前記原稿混載読取り手段により確定された主走査方向画素数とライン数を用いて、最適な給紙段を選択して記録出力することを特徴とする。
【発明の効果】
【０００８】
本発明によれば、スキャナが原稿サイズ検知手段をもたない画像形成装置においても、原稿混載モードでの読取り、記録を行うことにより、コピー動作時の自動用紙選択機能を実現させることが可能になる。
【発明を実施するための最良の形態】
【０００９】
以下に、本発明を実施するための最良の形態を、実施例に基づいて説明する。
【実施例】
【００１０】
図１は、本発明の実施例である画像形成装置の構成を示すブロック図である。
【００１１】
図１において、画像形成装置１００は、ＣＰＵ１０１と、ＲＯＭ１０２と、ＲＡＭ１０３と、操作表示部１０４と、スキャナ１０５と、プリンタ１０６と、ＣＯＤＥＣ１０７とを有する。
【００１２】
ＣＰＵ１０１は、システム制御部であり、画像形成装置１００の全体を制御する。
【００１３】
ＲＯＭ１０２は、ＣＰＵ１０１の制御プログラムを格納している。なお、上記制御プログラムは、以下に説明する上記実施例を実行する制御プログラムである。
【００１４】
ＲＡＭ１０３は、ＳＲＡＭ、ＤＲＡＭ等で構成され、実行プログラム、プログラム制御変数等を格納するものである。また、画像形成装置１００の使用者が登録した設定値や、画像形成装置１００の管理データ等や、各種ワーク用バッファも、ＲＡＭ１０３に格納される。
【００１５】
操作表示部１０４はキーボード、タッチパネル、ＬＣＤ、ＬＥＤ等で構成され、装置使用者が各種操作や、装置使用者に対して表示通知を行うものである。
【００１６】
スキャナ１０５はＣＳイメージセンサ、原稿搬送機構などで構成され、原稿を光学的に読取って電気的な画像データに変換するものである。
【００１７】
プリンタ１０６はスキャナ１０５で読取った画像やファイルデータを記録紙に記録する装置である。
【００１８】
ＣＯＤＥＣ１０７は、ＪＢＩＧ、ＪＰＥＧ等の符号化、および、復号化を行うモジュールであり、所定の規格に準拠した画像データの圧縮、伸張処理を実行する処理部である。
【００１９】
図２は、本発明におけるコピーのオペレーションを示すフローチャートである。
【００２０】
図２において、コピーオペレーションが始まると、Ｓ２０１において、スキャナに原稿サイズ検知センサーがあるかどうか判断する。Ｓ２０１において、原稿サイズ検知センサーがないと判断すると、Ｓ２０２において、選択可能なカセット段数Ｎを取得する。例えば、図３にあるように、存在するカセット段について、自動用紙選択の対象にするかどうかユーザが設定できるようになっており、この場合、選択可能なカセット段数Ｎは２（カセット１、カセット２）になる。
【００２１】
Ｓ２０３において、Ｓ２０２で取得したカセット段数Ｎが１より大きくない、すなわち、選択可能なカセットが複数存在しないと判断すると、出力カセット段は固定となるので、そのまま、Ｓ２０４へ進む。Ｓ２０２で取得したカセット段数Ｎが１より大きい、すなわち、選択可能なカセットが複数存在すると判断すると、Ｓ２０５へ進む。
【００２２】
Ｓ２０５では、ＡＤＦ（自動原稿給紙装置）に紙があるかどうか判断し、紙があると判断すると、Ｓ２０6において、「自動」を含んだ用紙選択を行う。Ｓ２０５において、ＡＤＦに紙がないと判断すると、以降で説明する原稿混載モードでの読取りが不可能となるため、Ｓ２０７において「自動」を含まない用紙選択を行う。例えば、図４にあるように、ＡＤＦに紙がある場合、用紙選択では、自動／カセット１／カセット２が選択可能で、ＡＤＦに紙がない場合、カセット１／カセット２が選択可能になる。
【００２３】
Ｓ２０４において、コピースタートキーが押下されたかどうか判断し、押下されていないと判断すると、Ｓ２０２へ戻る。コピースタートキーが押下されたと判断すると、Ｓ２０８において、用紙選択で自動が選択されたかどうか判断する。
【００２４】
Ｓ２０８において、用紙選択で自動が選択されたと判断すると、Ｓ２０９、Ｓ２１０で、原稿混載モードで読取り指示、記録指示を行う。Ｓ２０８において、用紙選択で自動が選択されていない、すなわち、特定のカセット段が選択されたと判断すると、Ｓ２１１、Ｓ２１２において、指定サイズ、指定カセット段での読取り指示、記録指示を行う。
【００２５】
Ｓ２０１において、原稿サイズ検知センサーがあると判断すると、Ｓ２１３において原稿サイズ検知センサーがある場合のコピーオペレーションを行う。
【００２６】
図５は、原稿混載モードが指定された場合の読取り動作を示すフローチャートである。
【００２７】
図５において、原稿混載モードで読取りが指示されると、Ｓ５０１、Ｓ５０２において、原稿後端を検知するまで原稿を読取る。
【００２８】
Ｓ５０２において、原稿後端を検知するとＳ５０３において、読取ったライン数を確定する。次に、Ｓ５０４において、ライン数（副走査方向）から原稿サイズを推定し、Ｓ５０５において、推定した原稿サイズから原稿幅（主走査方向）を確定する。Ｓ５０６において、原稿幅（主走査方向）、原稿ライン数（副走査方向）をページ属性としてセットする。
【００２９】
Ｓ５０７において、次ページがあると判断すると、Ｓ５０１へ戻り、次ページの処理を継続する。
【００３０】
図６は、原稿混載モードが指定された場合の記録動作を示すフローチャートである。
【００３１】
図６において、原稿混載モードで記録が指示されると、Ｓ６０１において、ページが確定するまで待つ。Ｓ６０１において、１ページ確定を確認すると、Ｓ６０２において、読取り時に設定された画素数、解像度から適正紙サイズを特定する。
【００３２】
Ｓ６０３において、適正紙サイズからカセット段を選択し、カセット段が特定されるまで、処理を繰り返す。
【００３３】
Ｓ６０４において、カセット段が選択されると、Ｓ６０５において、選択されたカセット段を使用して記録出力を行う。
【００３４】
Ｓ６０６において、次ページが存在する場合は、Ｓ６０１に戻り次ページ以降の処理を継続する。
【図面の簡単な説明】
【００３５】
【図１】本発明の実施例である画像形成装置を示すブロック図である。
【図２】本発明の実施例において、コピーのオペレーションを示すフローチャートである。
【図３】本発明の実施例において、選択可能カセット段数の例を示す図である。
【図４】本発明の実施例において、用紙選択の例を示す図である。
【図５】本発明の実施例において、原稿混載モードでの読取り動作を示すフローチャートである。
【図６】本発明の実施例において、原稿混載モードでの記録動作を示すフローチャートである。
【符号の説明】
【００３６】
１００  画像形成装置
１０１  ＣＰＵ
１０２  ＲＯＭ
１０３  ＲＡＭ
１０４  操作表示部
１０５  スキャナ
１０６  プリンタ
１０７  ＣＯＤＥＣ
【図１】
2007187735.tif 000003
【図２】
2007187735.tif 000004
【図３】
2007187735.tif 000005
【図４】
2007187735.tif 000006
【図５】
2007187735.tif 000007
【図６】
2007187735.tif 000008